(57)【要約】本発明の中ではＬＥＤ放熱構造を公開した。その中に放熱フィン装着のラジエーター、カバー及び風を強制的に空気注入チャンバーに送る送風機が含まれ、放熱フィンの間の隙間が複数の連続空気流動通路を作り、空気流動通路の排気両端がラジェーターの周りの側面へ延びる。カバーは放熱フィンの上に覆われ、空気流動通路の放熱フィン先端部にある開口を閉鎖し、局部的に突起し空気流動通路と繋がる空気注入チャンバーを形成する。本発明は放熱フィンの上にカバーを覆い、空気流動通路の放熱フィン先端部にある開口を閉鎖し、カバーの中心に局部的に空気注入チャンバーを設置し、送風機で冷却空気を強制的に空気流動通路へ送ることによって、熱交換の面積と効率を向上し、出力の高いＬＥＤ照明器具の需要に満足できる。
2019534546.tif 000002
【特許請求の範囲】
【請求項１】
放熱フィン装着のラジエーター、カバー及び風を強制的に空気注入チャンバーに送る送風機を含み、
フィンの間の隙間が複数の連続空気流動通路を作り、この空気流動通路の排気両端がラジェーターの周りの側面まで延び、
カバーはフィンの上に覆われ、空気流動通路のフィン先端部の開口を封鎖し、局部的に突起している構造が空気流動通路と繋がる空気注入チャンバーを形成することを特徴とするＬＥＤ放熱構造。
【請求項２】
請求項１に記載されたＬＥＤ放熱構造において、
カバーがラジェーターの周辺まで延び、全ての放熱フィンを覆えることを特徴とするＬＥＤ放熱構造。
【請求項３】
請求項１に記載されたＬＥＤ放熱構造において、
上記の空気注入チャンバーが複数の独立の小さいチャンバーに分けられ、チャンバー毎に１または２台の送風機を配置していることを特徴とするＬＥＤ放熱構造。
【請求項４】
請求項１に記載されたＬＥＤ放熱構造において、
上記の空気流動通路が空気注入チャンバーの位置から直線でラジェーターの周りの側面まで延びていることを特徴とするＬＥＤ放熱構造。
【請求項５】
請求項１に記載されたＬＥＤ放熱構造において、
上記のラジェーターの断面が円形で、空気注入チャンバーがラジェーターの中心位置にあり、放熱フィンが放射状に分布していることを特徴とするＬＥＤ放熱構造。
【請求項６】
請求項５に記載されたＬＥＤ放熱構造において、
上記のラジェーターの裏面がいくらかの扇形の放熱区域に分けられ、隣接する放熱区域の間に仕切り板が設置されていることを特徴とするＬＥＤ放熱構造。
【請求項７】
請求項６に記載されたＬＥＤ放熱構造において、
上記の空気注入チャンバーが複数の独立の小さいチャンバーに分けられ、この小さいチャンバーが放熱区域と一対一で設置されたことを特徴とするＬＥＤ放熱構造。
【請求項８】
請求項５に記載されたＬＥＤ放熱構造において、
突起して空気注入チャンバーを形成した突起部中心に下方向の逆円錐の形をする凹みがあり、空気注入チャンバーを環形構造にし、上記の送風機が突起部を巡って設置されていることを特徴とするＬＥＤ放熱構造。
【請求項９】
請求項８に記載されたＬＥＤ放熱構造において、
上記の凹みの側部に開口があり、独立の通風管を形成し、上記のラジェーターの中心に通風管と繋がる貫通穴があることを特徴とするＬＥＤ放熱構造。
【請求項１０】
請求項５に記載されたＬＥＤ放熱構造において、
上記のラジェーターの上に複数のラジェーターの中心線を巡って設置された放熱フィンが有り、放熱フィンから中心線までの距離が長いほど、数が多く、隣接の放熱フィンが交錯で装着されていることを特徴とするＬＥＤ放熱構造。
【請求項１１】
請求項１に記載されたＬＥＤ放熱構造において、
上記のラジェーターの断面が四角で、空気注入チャンバーが細長い形で、ラジェーターの全体を渡り、放熱フィンが空気注入チャンバーと垂直で設置されていることを特徴とするＬＥＤ放熱構造。
【請求項１２】
請求項１１に記載されたＬＥＤ放熱構造において、
上記のラジェーターの中心部分にラジェーターを平均に二つの部分に分ける第一仕切り板が有り、上記の空気注入チャンバーがラジェーターの中心に設置され、内部に第一仕切り板と繋がる第二仕切り板が設置され、同様にそれを二つの部分にわけ、二つの部分にそれぞれ一組の送風機が設置されていることを特徴とするＬＥＤ放熱構造。
【請求項１３】
請求項１１に記載されたＬＥＤ放熱構造において、
上記のラジェーターの中心部分にラジェーターを平均に二つの部分に分ける第一仕切り板が有り、上記の空気注入チャンバーが二つ有り、対称で第一仕切り板の両側に設置され、空気注入チャンバー毎に一組の送風機が設置されていることを特徴とするＬＥＤ放熱構造。
【請求項１４】
請求項１１に記載されたＬＥＤ放熱構造において、
上記のラジェーターと放熱フィンの平行部分の両側に遮断板が設置されていることを特徴とするＬＥＤ放熱構造。
【請求項１５】
請求項１に記載されたＬＥＤ放熱構造において、
上記の送風機が軸流ファン或はターボファンであることを特徴とするＬＥＤ放熱構造。
【請求項１６】
請求項１５に記載されたＬＥＤ放熱構造において、
空気注入チャンバーを形成した突起部に送風機を装着する開口が有り、上記の送風機が密封粘着テープで接着され、若しくはジョイントで開口内に固定されていることを特徴とするＬＥＤ放熱構造。
【請求項１７】
請求項１５に記載されたＬＥＤ放熱構造において、
上記のカバーの上に送風機と電源が装着されていることを特徴とするＬＥＤ放熱構造。
【請求項１８】
請求項１〜１７のいずれか１項に記載されたＬＥＤ放熱構造を含むＬＥＤ照明器具において、
上記のラジェーターの上に放熱フィンと逆方向で装着された基盤とピントを合わせるレンズが設置され、上記の基盤にＬＥＤチップが装着され、カバーの上に送風機と照明器具内部の電気回路を保護する遮断カバーが取り付けられ、遮断カバーの側面に空気の入口があり、後ろの部分にＬＥＤチップが設置されていることを特徴とするＬＥＤ照明器具。
【請求項１９】
請求項１８に記載されたＬＥＤ照明器具において、
上記の遮断カバーが上カバーと下カバーから構成され、下カバーの底部がカバーと固定され、上に穴が開いて径方向に収縮し上カバーまで延び、上カバーと下カバーの間にある隙間が空気の入口になり、ＬＥＤチップが上カバーの一番上の部分に設置されていることを特徴とするＬＥＤ照明器具。
【請求項２０】
請求項１９に記載されたＬＥＤ照明器具において、
上記の隙間の中に水貯留構造が設置されていることを特徴とするＬＥＤ照明器具。
【請求項２１】
請求項２０に記載されたＬＥＤ照明器具において、
上記の水貯留構造が下カバーの外側に設置された第一水貯留圏と上カバーの内面に設置された第二水貯留圏を含み、第一水貯留圏が水平に設置され上カバーの内壁へ延び、第二水貯留圏が垂直に設置され上カバーを囲んでいることを特徴とするＬＥＤ照明器具。
【請求項２２】
請求項２１に記載されたＬＥＤ照明器具において、
上記の第一水貯留圏が下方向へ傾いていることを特徴とするＬＥＤ照明器具。
【請求項２３】
請求項１９に記載されたＬＥＤ照明器具において、
上カバーと下カバーの間がジョイントで接続されていることを特徴とするＬＥＤ照明器具。
【請求項２４】
請求項１８に記載されたＬＥＤ照明器具において、
上記のラジェーターの基盤を取り付ける表面に基盤と合せたしゃくり溝が有り、しゃくり溝の周囲に排気用の裂け目があることを特徴とするＬＥＤ照明器具。
【請求項２５】
請求項１８に記載されたＬＥＤ照明器具において、
上記のラジェーターとレンズの配置箇所に排気穴が設置されていることを特徴とするＬＥＤ照明器具。
【請求項２６】
請求項２５に記載されたＬＥＤ照明器具において、
上記のレンズとラジェーターが配合した端に二つの段差構造が有り、内側の段差構造と外側の段差構造にはそれぞれ交錯して配置された第一裂け目と第二裂け目が設置され、ラジェーターの上に第一裂け目と第二裂け目を繋ぐ接続溝が設置されていることを特徴とするＬＥＤ照明器具。
【請求項２７】
放熱フィン装着のラジェーターが含まれ、放熱フィンの間にある隙間が複数の貫通した空気流動通路を作り、この空気流動通路の排気両端がラジェーターの周りの側面まで延び、ラジェーターの裏面には、放熱フィンの上に覆われ空気流動通路の放熱フィン先端部の開口を閉鎖し局部的に突起し空気流動通路と繋がる空気注入チャンバーが設置されているＬＥＤ照明器具における放熱方法であって、
空気を強制的に空気注入チャンバーに送り、空気と放熱フィンの熱交換を起こした後にラジェーターの側面から排出することが含まれることを特徴とする放熱方法。
【請求項２８】
請求項２７に記載された放熱方法において、
空気注入チャンバーの空気圧を大気圧より１００−２００ｐａ高い状態に維持できることを特徴とする放熱方法。
【請求項２９】
請求項２７に記載された放熱方法において、
軸流ファン或はターボファンで強制的に送風し、回転速度が３０００ｒ／ｓ以上であることを特徴とする放熱方法。
【発明の詳細な説明】
【技術分野】
【０００１】
本発明はＬＥＤ照明技術の分野に関わり、特に放熱効果の優れるＬＥＤ放熱構造及びその放熱構造を含むＬＥＤ照明器具に関する。
【背景技術】
【０００２】
ＬＥＤ照明器具は省エネ、環境に優しい等の長所があるが、作動中に発熱し、特に出力の大きいＬＥＤ照明器具はその発熱量が多く、ラジエーターを使用しても熱をタイムリーに放熱させることができないため、使用が制限される。ＬＥＤ照明器具の放熱効果を向上するため、現在の設計はラジエーターの裏面にファンを設置し、空気の対流を加速させることによって放熱の効果を上げようとする。
【０００３】
下記特許文献１の中でファン装着の出力の大きいＬＥＤ省エネランプを公開したように、そのランプはランプシェード、基盤、ＬＥＤチップ、放熱フィン、ファン、電源から構造され、ランプシェードの中に基盤、ＬＥＤチップ、放熱フィン、ファン、電源が装着され、放熱フィンが基盤の上に固定され、ファンが放熱フィンの上に装着され、ランプシェードには空気注入穴、空気排出穴が開いてファンの回転によって空気の流動を加速させることでＬＥＤ省エネランプの高効率な放熱を実現する。
【先行技術文献】
【特許文献】
【０００４】
【特許文献１】中国特許出願公開第１０２５８８７８９号明細書
【発明の概要】
【発明が解決しようとする課題】
【０００５】
上記特許文献１では、ファンが直接放熱フィンに当たっているため、発生した風の方向が無定位で、それに放熱フィンの遮断で、冷却空気が放熱フィンの温度の一番高い部分である底部に到達できなくなり、空気の流速にロスが発生し、ひいては旋回によって相互に減少することによってファンから離れた区域の空気の流速が低く、最終的に全体の放熱効果が劣っている。
【課題を解決するための手段】
【０００６】
本発明は風を強制的に送ることによって放熱の効果を向上するＬＥＤ放熱構造を提供した。
【０００７】
ＬＥＤ放熱構造は、放熱フィン装着のラジエーター、カバー及び風を強制的に空気注入チャンバーに送る送風機を含む。
【０００８】
放熱フィンの間の隙間が複数の連続空気流動通路を作り、この空気流動通路の排気両端がラジエーターの周りの側面まで延びる。
【０００９】
カバーが放熱フィンの上に設置され、空気流動通路の放熱フィン先端部にある開口を閉鎖し、局部的に突起し空気流動通路と繋がる空気注入チャンバーを形成する。
【００１０】
隣接の放熱フィンの間に隙間があるため、隙間が繋がり上記の空気流動通路を作り、空気の流動が良くなる。通常放熱フィンが垂直で設置されるため、放熱フィンの先端部に流動通路の開口がある。
【００１１】
本発明はラジエーターの裏面にカバーを設置し、空気流動通路の上にある開口を閉鎖することによって、空気注入チャンバーへ強制的に送風する時に冷却空気は上の開口から直接排出されずに空気流動通路に入り、その後放熱フィンの底部に入り十分な熱交換を実現する。また、熱空気がラジエーターの側面から排出され、全ての放熱フィンと熱交換を行い、放熱の効率を向上することができる。
【００１２】
無論、カバーが全ての放熱フィンを完全に覆うことができなければ、閉鎖されていない開口から排出され、放熱効果が最良になれなくても一定程度の改善効果がある。空気流動通路が狭く、空気注入チャンバーが大きいため、空気注入チャンバーに送風し内部で一定の圧力を維持するには強制的に送風する必要がある。
【００１３】
理想は、上記のカバーがラジエーターの周りまで延び、全ての放熱フィンを覆い、ラジエーターが横のみから風を排出するようにし、空気が全ての放熱フィンとの熱交換を保証できることである。
【００１４】
理想は、上記の空気注入チャンバーが複数の独立の小さいチャンバーに分けられ、チャンバー毎に１〜２台の送風機が配置されることである。
【００１５】
理想は、上記の空気流動通路が空気注入チャンバーの位置から直線でラジエーターの周りの側面まで延び、空気の抵抗力を低下させ流動速度を向上することができることである。
【００１６】
上記のラジェーターは照明器具の実際の需要によって設置することができる。円形、四角形、長方形、楕円形或は不規則形状に設計できる。
【００１７】
理想は、上記のラジェーターの断面が円形で、空気注入チャンバーがラジェーターの中心に有り、放熱フィンが放射状に分布している。
【００１８】
理想は、ラジェーターの裏面が複数の扇形の放熱区域に分けられ、空気の交錯流動がないように隣接の放熱区域の間に仕切り板が設置されている。
【００１９】
更に理想的には、上記の空気注入チャンバーが複数の独立の小さいチャンバーに分けられ、このチャンバーが放熱区域と一対一で設置されている。
【００２０】
理想は、突起して空気注入チャンバーを形成した突起部の中心に下方向の逆円錐の形をする凹みが有り、空気注入チャンバーを環形にし、上記の送風機が突起部を巡って設置されている。空気注入チャンバーが環形の構造で、相対の送風機が送った空気の干渉を防止することができる。
【００２１】
更に理想的には、上記の凹みの底部に開口が有り、独立の通風管を形成し、上記のラジェーターの中心に通風管と繋がる貫通穴が有り、基盤とＬＥＤチップに対して放熱を実現できる。
【００２２】
理想は、上記のラジェーターの上に複数のラジェーターの中心線を巡って設置された放熱フィンが有り、放熱フィンから中心線までの距離が長いほど、放熱フィンの数が多く、隣接の放熱フィンが交錯で設置され、樹状分布の空気流動通路を形成し放熱の効果を向上することができる。
【００２３】
もう一つの理想状態は、上記のラジェーターの断面が四角形で、空気注入チャンバーが細長い形状で、ラジェーターの全体を渡り、放熱フィンが空気注入チャンバーと垂直で設置されている。
【００２４】
上記のラジェーターの中心にラジェーターを平均で二つの部分に分ける第一仕切り板が有り、上記の空気注入チャンバーがラジェーターの中心に設置され、内部に第一仕切り板と繋がる第二仕切り板が設置され、同様にそれを二つの部分に分け、二つの部分にそれぞれ一組の送風機が設置されている。
【００２５】
上記のラジェーターの中心にラジェーターを平均で二つの部分に分ける第一仕切り板が有り、空気注入チャンバーが二つ有り、対称で第一仕切り板の両側に設置され、空気注入チャンバー毎に一組の送風機が設置されている。
【００２６】
上記の二つの方法は空気流動通路の距離を短縮し、空気流動の抵抗力を減少し、放熱の効果を向上することができる。
【００２７】
理想は、空気が横から漏れないように、上記のラジェーターと放熱フィンが平行する両側に遮断板が設置されている。
【００２８】
理想は、上記の送風機が軸流ファン或はターボファンで、最も理想的にはターボファンで、ターボファンは空気注入チャンバーに更に高い圧力を提供することができる。
【００２９】
理想は、空気注入チャンバーを形成した突起部に送風機を装着する開口が有り、上記の送風機が密封粘着テープで接着され、若しくはジョイントで開口内に固定されている。
【００３０】
上記のカバーに送風機の電源が装着されている。
【００３１】
本発明ではこの他にＬＥＤ放熱構造を含むＬＥＤ照明器具も提供し、上記のラジェーターの上に放熱フィンと逆方向で装着された基盤とピントを合わせるレンズが設置され、基盤の上にＬＥＤチップが設置され、カバーの上に送風機と照明器具内部の電気回路を保護する遮断カバーが設置され、遮断カバーの横に空気の入口が設置され、後ろの部分にソケットが装着されている。
【００３２】
理想は、上記の遮断カバーが上カバーと下カバーで構成され、下カバーの底部がカバーと固定され、一番上にある開口が径方向に収縮して上カバーの中へ延び、上カバーと下カバーの間の隙間が空気注入チャンバーを構成し、ソケットが上カバーの一番上に設置され、このような設計は水がカバー内に入れないようにすることができ、特に魚釣り用ランプ等水環境の中で使用される照明器具に適用する。
【００３３】
更に理想的には、上記の隙間の中に水貯留構造が設置されている。
【００３４】
下記の構造を採用することができる。上記の水貯留構造が下カバーの外側に設置された第一水貯留圏と上カバーの内側に設置された第二水貯留圏を含み、第一水貯留圏が横で設置され上カバーの内壁へ延び、第二水貯留圏が縦で設置され上カバーを巡っている。
【００３５】
上記の第一水貯留圏が下に傾いている。
【００３６】
理想は、上カバーと下カバーがジョイントで接続され、空気注入の流暢性を向上することができる。
【００３７】
理想は、上記のラジェーターの基盤を装着する表面に基盤と合せた凹み溝が有り、凹み溝の周りに熱空気の排出を良くするために排気用の裂け目がある。
【００３８】
同様な理由で、上記のラジェーターとレンズの配合位置に排気穴が設置されている。
【００３９】
防水を実現するために、上記のレンズとラジェーターが配合した端に二つの段差構造が有り、内側の段差構造と外側の段差構造にそれぞれ交錯で設置された第一裂け目と第二裂け目が有り、ラジェーターの上に第一裂け目と第二裂け目を繋ぐ接続溝が設置されている。
【００４０】
本発明はＬＥＤ照明器具の放熱方法を提供し、放熱フィン装着のラジェーターが含まれ、放熱フィンの間にある隙間が複数の貫通の空気流動通路を形成し、空気流動通路の排気両端がラジェーターの周りの側面に延び、ラジェーターの裏面に放熱フィンの上に覆われ空気流動通路の放熱フィンの先端にある開口を閉鎖し、局部に突起し空気流動通路と繋がる空気注入チャンバーが設置されている。
【００４１】
上記の放熱方法は、空気を強制的に空気注入チャンバーへ送り、空気と放熱フィンの熱交換を行った後にラジェーターの側面から排出することが含まれる。
【００４２】
理想は、空気注入チャンバー内の空気圧力を大気圧より１００−２００ｐａ高い状態に維持する。
【発明の効果】
【００４３】
本発明は放熱フィンの上にカバーを覆い、空気流動通路の放熱フィン先端部にある開口を閉鎖し、カバーの中心に局部的に空気注入チャンバーを設置し、送風機で冷却空気を強制的に空気流動通路へ送ることによって、熱交換の面積と効率を向上し、出力の高いＬＥＤ照明器具の需要に満足できる。
【図面の簡単な説明】
【００４４】
【図１】本発明のＬＥＤ照明器具の構造見取り図である。
【図２】本発明のＬＥＤ照明器具の爆発構造見取り図である。
【図３】図１に示されたＬＥＤ照明器具のカバー部分の構造見取り図である。
【図４】図３に示されたカバー部の別の角度からの構造見取り図である。
【図５】本発明のラジェーターの構造見取り図である。
【図６】本発明のラジェーターの局部断面図である。
【図７】本発明のレンズの構造見取り図である。
【図８】本発明のレンズの排気見取り図である。
【図９】本発明の四角形ＬＥＤ放熱構造の見取り図である。
【図１０】図９に示された放熱構造の排気見取り図である。
【図１１】図９に示された放熱構造中のカバーの構造見取り図である。
【図１２】図１１に示されたカバーの別の角度からの構造見取り図である。
【図１３】本発明のもう一つの四角形ＬＥＤ放熱構造の見取り図である。
【図１４】図１３に示された放熱構造の排気見取り図である。
【図１５】図１３に示された放熱構造中のカバーの構造見取り図である。
【図１６】図１５に示されたカバーの別の角度からの構造見取り図である。
【図１７】本発明の四角形ラジェーターの構造見取り図である。
【発明を実施するための形態】
【００４５】
図１と図２に示されたように、一つのＬＥＤ照明器具で、アルミ合金等の材料で作られたラジェーター１が含まれ、ラジェーター１の正面に基盤５とレンズ２が装着され、基盤５の上に沢山のＬＥＤチップ６が設置され、レンズ２の主要な機能はピントを合わせることで、ラジェーター１と配合して基盤５とＬＥＤチップ６を相対的に密封の空きチャンバーに装着する。基盤の材質はアルミ、銅等で、その上に交流電を直流電へ変換するために、駆動モジュールを設置することができる。
【００４６】
図５に示されたように、ラジェーター１の裏面に放熱フィン１２が装着され、放熱フィン１２は縦で設置され二つの放熱フィンの間に隙間が有り、隙間が交錯し連続の空気流動通路１６を形成する。図５に示されたラジェーターが円形で、無論四角形、楕円形或は不規則形状等のその他形状も可能であるが、放熱フィン１２の分布は空気流動通路１６の排気両端がラジェーター１の周りの側面まで延び、空気流動通路内の空気が熱交換を行った後にラジェーターの横から排出できることを保証する必要がある。
【００４７】
図５に示されたラジェーターは放熱フィン１２が放射状で分布し、即ち放熱フィン１２がラジェーター１の径方向に沿って設置され、複数の組に分けられ、全ての放熱フィンがラジェーターを中心に設置され、ラジェーターまでの距離が長いほど、放熱フィンの数が多く、それに隣接組の放熱フィンが交錯で配置されているため、空気流動通路１６が樹状に分布し放熱面積が最大になっている。ラジェーター１の裏面が複数の扇形の放熱区域に分けられ、隣接の放熱区域の間に仕切り板１３が設置されているため、空気が殆ど同じ方向に排出し、過多の旋回による流速のロスが防止できる。仕切り板１３の末端にカバー７を固定するネジ穴も設置されている。
【００４８】
図１と図２に示されたように、ラジェーター１の裏面に放熱フィン１２の上に覆われたカバー７が装着され、カバー７が全ての放熱フィンを殆ど覆い、空気流動通路の放熱フィン先端部にある開口を閉鎖し、空気がラジェーターの横のみから排出することを保証できる。図３と図４に示されたように、カバー７の真ん中部が突起して空気注入チャンバー７１を形成する。カバーが突起しているため、下の空気流動通路の開口が閉鎖されず、全ての空気流動通路と空気注入チャンバー７１が繋がるようになっている。突起部の上に開口が有り、ターボファン７２が開口位置で粘着テープで固定され、若しくはジョイントで突起部の上に固定されている。ターボファン７２は軸流ファンに変更することができるが、軸流ファンの体積が大きく、送る空気の圧力が低く、出力が低い状態で風の逆流が発生する。
【００４９】
図１に示されたように、ターボファン７２が突起部を巡って設置され、排気管が空気注入チャンバー７１の中に延びている。突起部の中心が下へ凹み、放熱フィン１２まで延び、空気注入チャンバーが環形構造になり、相対で設置されたターボファン７２の排気が干渉してなくならないようにし、空気注入チャンバーの中で一定の圧力を保証することができる。また、ターボファン７２は斜めで設置され、中心にある凹みに当たって風を吹き、旋回した後に空気流動通路に入る。突起部とカバーはプレスでの成型が望ましいが、無論組立ての方法を採用することもできる。
【００５０】
図４に示されたように、ターボファン７２の排気の干渉が無いように、空気注入チャンバー７１の中に仕切り板７４が設置され空気注入チャンバー７１を複数の小さいチャンバーに分け、本実施例の中でチャンバー毎に２台のターボファンが設置され、それに小さいチャンバーとラジェーターの裏面にある放熱地域も一対一で配置され、２台のターボファンの排気対一つの放熱地域に相当する。放熱の効果を向上するため、凹みの底部に貫通穴が有り、独立の通風通路７５を形成し、相応するラジェーターの中心に繋がるための貫通穴１４が有り、凹みの一番上の部分にターボファン７２が装着され、冷却空気を強制的に基盤5のエリアに送ることができる。
【００５１】
図２に示されたように、冷却基盤５とＬＥＤチップ６の中の空気が順調に排出されるように、ラジェーター１の基盤５を装着する表面に凹み溝１１が有り、凹み溝の周りに排気用の裂け目（図の中に示されていない）があるが、この構造は防水できない。本発明ではレンズとラジェーターが配合した周りに防水の排気構造が設置され、図７に示されたように、レンズ２の周りに二つの段差構造２１、２２が有り、内側と外側の段差構造にそれぞれ裂け目２３、２４が設置され、裂け目２３、２４が交錯で設置されている。図６に示されたように、ラジェーターの相応する位置に裂け目２３、２４を繋ぐ接続溝１５が有り、レンズ２とラジェーター１の間の排気ルートが図８（図中の点線は気体の流動方向）に示された通りで、排気ルートが周りの区域に複数の曲げ箇所があるため、水の照明器具本体への浸入を十分防止することができる。
【００５２】
図１と図２に示されたように、照明器具の内部にある電気回路とターボファンを保護するため、カバー７の裏面に遮断カバー３が装着され、遮断カバーは下カバー３１と上カバー３２を含み、上カバー３２はライトシェード状で、一番上の部分にソケット４が装着され、下カバー３１の両端に開口が有り、一端がカバーと繋がり、もう一端が径方向に収縮し上カバー３２の中へ延び、上カバー３２と下カバーの間は接続ロッド３１０で接続され、遮断カバー３の空きスペースが外と繋がるようにしている。
【００５３】
上カバー３２と下カバー３１の間に隙間が有り、この隙間が空気注入チャンバーで、水等がカバーに入れないようにするため、隙間の中に水貯留構造が設置されている。遮断構造は水貯留圏３３、３４を含み、水貯留圏３４は下カバー２１の外側に設置され、斜めに向いて上カバー３２へ延び、水貯留圏３４は上カバー３２の内側に設置され、垂直で下カバー３１へ延び、接続ロッド３１０を囲み、下カバー３１と繋がっている。無論、水貯留構造は他の既存の構造を採用することができる。
【００５４】
上記のＬＥＤ照明器具のラジェーター円形で、上記に記載されたように、ラジェーターは四角形を採用することもできる。図１０、１４に四角形のＬＥＤ放熱構造が公開され、四角形のラジェーター８が含まれ、ラジェーターの裏面には同様に放熱フィン８１が有り、放熱フィンが複数の組に分けられ平行に設置され、その間にある隙間が複数の相互平行の空気流動通路８４を形成している。
【００５５】
図１７に示されたように、ラジェーター８は両側に遮断板８３が設置されているほか、中心に仕切り板８２が設置され、放熱区域を二つの部分に分け、その目的は空気流動通路８４の長さを減らし、抵抗力を減少し空気の流速を向上することである。図９〜１０に示されたように、カバー９が完全にラジェーター１の裏面に覆い、空気流動通路８４の放熱フィン８１先端部にある開口を閉鎖し、空気流動通路８４はラジェーターの側面のみに開口がある。
【００５６】
図１１〜１２に示されたように、カバー９の中心に突起部９１が有り、空気流動通路８４と繋がる空気注入チャンバー９２を形成し、突起部９１は細長い四角形で、全ての放熱フィン８１を横から渡っている。突起部９１の上にはターボファン９５を装着するための開口９４が設置されている。ラジェーター１の放熱区域が二つの部分に分けられているため、空気注入チャンバー９２の中も同様に仕切り板９３が設置され、ラジェーター１と相応して二つの部分に分けられ、二つの部分にそれぞれ一組のターボファン９５が装着されている。
【００５７】
図１３〜１６に示されたように、もう一つの四角形ＬＥＤ放熱構造で、この構造のラジェーター１も同様に図７に示された通りで、異なる所はカバーの形状で、具体的には突起部の設置方法である。カバー９の上に二つの突起部９１があって二つの空気注入チャンバー９２を形成し、二つの空気注入チャンバー９２が仕切り板８２の両側に設置され、それぞれラジェーター１の二つの放熱地域と相応し、また二つの空気注入チャンバー９２にそれぞれ一組のターボファン９５が配置され、ターボファン９５が斜めに設置されている。
【００５８】
上記によると、本発明のラジェーターの裏面にある放熱フィンがカバーに完全に覆われているため、空気流動通路の放熱フィン先端にある開口が閉鎖され、空気がこの開口から流れず、全ての空気が放熱フィンの横にある開口から排出するようにし、空気が殆どの放熱フィンと熱交換を行うことができる。また、空気注入チャンバーから空気が入ると、外部環境による風速への影響を避けられるほか、送風圧力の減少が速すぎる問題も解決した。最後に、ターボファンで強制的に送風することによって、放熱フィンの抵抗力を克服し、一定の空気流速を維持し熱交換を加速することができ、熱交換の効率と面積を全体的に向上し、放熱の効果が大いに改善された。
【００５９】
上記に記載されたように、放熱フィンは空気に対して一定の抵抗力があるため、空気注入チャンバーには圧力が必要になり、通常は大気圧より１００〜２００ｐａ高いのだが、空気流動通路の変更によって変わることもある。ファンの回転速度は通常３０００回転以上に維持する。
【図１】
2019534546.tif 000003
【図２】
2019534546.tif 000004
【図３】
2019534546.tif 000005
【図４】
2019534546.tif 000006
【図５】
2019534546.tif 000007
【図６】
2019534546.tif 000008
【図７】
2019534546.tif 000009
【図８】
2019534546.tif 000010
【図９】
2019534546.tif 000011
【図１０】
2019534546.tif 000012
【図１１】
2019534546.tif 000013
【図１２】
2019534546.tif 000014
【図１３】
2019534546.tif 000015
【図１４】
2019534546.tif 000016
【図１５】
2019534546.tif 000017
【図１６】
2019534546.tif 000018
【図１７】
2019534546.tif 000019
【国際調査報告】
2019534546.tif 000020
2019534546.tif 000021
2019534546.tif 000022
2019534546.tif 000023
2019534546.tif 000024
2019534546.tif 000025